(57)【要約】      （修正有）【課題】基板ケースの表裏を視認可能としつつ、不正な基板ケースの取り外しを防止できるとともに、コストの低減と組み立て作業の簡易化を図ることができる遊技機を提供する。【解決手段】スロットマシンは、遊技の制御を行う電子回路基板と、この電子回路基板を含む遊技用部材が収容される箱状の筐体を有する。筐体内には、固定係合部６８に回転自在に係合される回転係合部を有する回動部材６４と、回動部材６４に設けられるとともに、電子回路基板が封入され、回動部材６４と一体に回転することにより電子回路基板の表裏を視認可能とする透明な基板ケース６３とを備える。筐体の内面側で、筐体の少なくとも一部を構成する樹脂製の筐体部材に一体成形され、回転係合部に対して回動部材を回転可能に係合する固定係合部とを備え、回転係合部を前記固定係合部から取り外す際に痕跡が残るようになっている。【選択図】図３
2018102367.tif 000002
【特許請求の範囲】
【請求項１】
各種制御のいずれかに係る電子回路基板と、
前記電子回路基板を含む遊技用部材が収容される箱状の筐体と、
前記筐体の内面に回転自在に係合される回転係合部を有する回動部材と、
前記回動部材に設けられるとともに、前記電子回路基板が封入され、前記回動部材と一体に回転することにより前記電子回路基板の表裏を視認可能とする透明な基板ケースと、
前記筐体の内面側で、前記筐体の少なくとも一部を構成する樹脂製の筐体部材に一体成形され、前記回転係合部に相対的に回転自在に係合する固定係合部とを備え、
前記回転係合部を前記固定係合部から取り外す際に痕跡が残るようになっていることを特徴とする遊技機。
【請求項２】
前記筐体部材は、前記筐体の本体に一体成形された背板であり、
前記回動部材の前記回転係合部が軸を備え、
前記固定係合部が前記軸を軸心周りに回転自在に支持する軸受を備え、
前記軸受に前記軸を回転自在に係合した状態で前記軸受から前記軸を取り外せないように前記軸および前記軸受を覆う覆部材を前記固定係合部に設け、
前記固定係合部から前記覆部材を取り外す際に、前記痕跡が残るようになっていることを特徴とする請求項１に記載の遊技機。
【発明の詳細な説明】
【技術分野】
【０００１】
本発明は、基板を収容する基板ケースを備えた遊技機に関する。
【背景技術】
【０００２】
従来、遊技機においては、遊技を制御するための基板を、基板の不正な改造等を防ぐために、外部から容易に触れることができないように基板ケースに封入することが知られている。
このような基板を封入した基板ケースを、遊技機の筐体に動かないように固定して設置してしまうと、基板ケースや基板の裏側（筐体側の面）を見ることができず、基板ケースが開けられる等して、基板の裏面に改造が施されたり、基板ケースに封入された基板が基板の裏側に改造が施された基板と交換されたり、基板ケースの表側から見えない部分に不正な制御を行うための子基板が仕込まれたりした場合や、基板ケースごと不正な基板を収容した基板ケースに交換された場合等に、気付きにくいという問題がある。これに対し、基板ケースや基板の裏側が見えるように、基板ケースを遊技機の筐体に回動可能に設けることが知られている（例えば、特許文献１）。このようにすることで、基板ケースを回動させて裏側を見ることができるので、日々の点検等において、基板ケースや基板の裏側を視認することができ、基板に不正な改造が行われていないか等を、容易に確認することができる。
【０００３】
また、基板ケースを、遊技機から容易に取り外すことができてしまうと、この基板ケースを不正な基板を収容した基板ケースとすり替えるといった不正が行われる可能性が高くなってしまうという問題がある。これに対し、特許文献１には、基板ケースと、遊技機筐体の背板に固定される固定ベースと、固定ベースに回動可能に支持されるとともに基板ケースが取り付けられる可動ベースとを備え、固定ベースと、可動ベースと、基板ケースとが一体的に組み付けられた状態において、基板ケースに設けられた規制部によって、固定ベースから可動ベースが取り外されることを規制することで、固定ベースから可動ベースごと基板ケースが取り外されるのを防止することが記載されている。
【先行技術文献】
【特許文献】
【０００４】
【特許文献１】特開２０１０−２８４３８２
【発明の概要】
【発明が解決しようとする課題】
【０００５】
ところで、特許文献１に記載の従来の遊技機では、固定ベースは金属板を加工して形成され、筐体の背板に金属製の固定ベースが取り付けられるようになっている。この場合に、背板に対して固定ベースが取り外されると、一体的に組み付けられた固定ベース、可動ベースおよび基板ケースが取り外され、基板ケースや基板に対する不正行為が容易となってしまう虞がある。したがって、固定ベースを背板から取り外し難い構造としたり、背板の固定ベースが取り外された部分に再度固定ベースを取り付けることが困難な構造としたり、固定ベースの背板からの着脱の痕跡が明確に残るような構造としたりするなどの必要があり、コストの増大や遊技機製造時の固定ベース取り付け作業の煩雑化を招く虞がある。
【０００６】
本発明は、前記事情に鑑みてなされたもので、基板ケースの表裏を視認可能としつつ、不正な基板ケースの取り外しを防止できるとともに、コストの低減と組み立て作業の簡易化を図ることができる遊技機を提供することを目的とする。
【課題を解決するための手段】
【０００７】
前記課題を解決するために本発明の遊技機は、各種制御のいずれかに係る電子回路基板と、
前記電子回路基板を含む遊技用部材が収容される箱状の筐体と、
前記筐体の内面に回転自在に係合される回転係合部を有する回動部材と、
前記回動部材に設けられるとともに、前記電子回路基板が封入され、前記回動部材と一体に回転することにより前記電子回路基板の表裏を視認可能とする透明な基板ケースと、
前記筐体の内面側で、前記筐体の少なくとも一部を構成する樹脂製の筐体部材に一体成形され、前記回転係合部に相対的に回転自在に係合する固定係合部とを備え、
前記回転係合部を前記固定係合部から取り外す際に痕跡が残るようになっていることを特徴とする。
【０００８】
このような構成によれば、回動部材とともに、基板ケースを回転させて、基板ケース内の電子回路基板や基板ケースの表裏を目視で観察して不正の有無を確認可能であり、かつ、回動部材の回転係合部が筐体の固定係合部から外された場合にその痕跡で外されたことを発見することができる。この場合に、固定係合部は、筐体の少なくとも一部である筐体部材に一体成形されているので、固定部材を筐体から取り外すことは困難であり、筐体部材から固定部材を取り外すには、筐体部材の一部を破壊するしかなく、痕跡が残るとともに、取り外した固定係合部を元に戻すことも困難である。
また、固定係合部は、筐体部材に一体成形されており、筐体部材を成形する際に固定係合部が筐体部材とともに製造されるので、遊技機の組立時に固定係合部を筐体部材に取り付ける手間がなく、省力化を図ることができる。また、固定係合部を筐体部材と別部材として用意する必要がないのでコストの低減を図ることができる。
【０００９】
なお、回動部材に基板ケースを取り付けた状態に設ける場合に、回動部材と基板ケースとが重なる部分で、基板ケースの視認が困難になるので、回動部材も透明であることが好ましい。また、回動部材に基板ケースが取り付けられた構成の場合に、回動部材から基板ケースを取り外した際にその痕跡が残るようになっていることが好ましい。痕跡は、回動部材と基板ケースの両方に残ることが好ましい。また、固定係合部から回転係合部を取り外した際の痕跡は、少なくとも固定係合部に残ることが好ましく、固定係合部と回転係合部の両方に残ってもよく、さらに、固定係合部と回転係合部との着脱を阻害する部材を設ける場合に、当該部材にも痕跡が残ることが好ましい。また、筐体部材は、筐体の付属部品等を除いた筐体本体が樹脂成形により一体に成形される場合に、筐体本体である。
【００１０】
本発明の前記構成において、前記筐体部材は、前記筐体の本体に一体成形された背板であり、
前記回動部材の前記回転係合部が軸を備え、
前記固定係合部が前記軸を軸心周りに回転自在に支持する軸受を備え、
前記軸受に前記軸を回転自在に係合した状態で前記軸受から前記軸を取り外せないように前記軸および前記軸受を覆う覆部材を前記固定係合部に設け、
前記固定係合部から前記覆部材を取り外す際に、前記痕跡が残るようになっていることが好ましい。
【００１１】
前記筐体部材は、筐体本体と一体に形成される背板であり、樹脂成形時に背板の内面に軸を一体成形することは、成形金型の形状等から困難であり、軸を回動部材側に設け、軸受を筐体側に設けることにより、筐体の樹脂成形を容易にできる。また、固定係合部の軸受と回転係合部の軸とは覆部材に覆われており、固定係合部から回転係合部を取り外すには、固定係合部から覆部材を取り外す際に前記痕跡が残ることになり、痕跡により不正を発見することができる。
【発明の効果】
【００１２】
電子回路基板を封入した基板ケースを電子回路基板の表裏が確認できるように回転自在に遊技機に取り付け可能とするとともに傷つけることなく取り外すことが困難な構造を低コストで提供することができ、かつ、このような構造を有する遊技機の組み立て作業を簡易化することができる。
【図面の簡単な説明】
【００１３】
【図１】本発明の実施の形態に係る遊技機の一例を示すもので、その斜視図である。
【図２】同、前扉を開いた状態の斜視図である。
【図３】同、電子回路基板が封入された基板ケースを回転自在に筐体に取り付けた基板ユニットを示す分解斜視図である。
【図４】同、基板ケースを筐体の背板に沿わせた状態の基板ユニットを示す側面図である。
【図５】同、基板ケースを背板に対して直角にした状態の基板ユニットを示す断面図である。
【図６】同、基板ケースを背板に対して直角にした状態の基板ユニットを示す側面図である。
【発明を実施するための形態】
【００１４】
以下、本発明の実施の形態について図面を参照して説明する。本実施の形態は本発明を遊技機の一つであるスロットマシンに適用した場合を例にとって説明するが、本発明はスロットマシンに限ることなく、その他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１５】
まず、発明が適用されるスロットマシンＭの概略構成について説明する。
図１はスロットマシンＭを示す斜視図、図２は前扉を開いた状態のスロットマシンＭを示す斜視図である。
このスロットマシンＭは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット４、メダルを貯留するとともにメダルを払い出す払い出し装置としてのホッパーユニット５等が設けられている。
【００１６】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
筐体１内には、リールユニット２２と基板ユニット６０とが設けられている。また、リールユニット２２は、周囲に複数の図柄を表示した３個の回転リール２２ａと、回転リール２２ａを回転させるための駆動モータ（ステッピングモータ）を有している。
また、基板ユニット６０は、ＣＰＵ、ＲＯＭ、ＲＡＭ、Ｉ／Ｏ等の電子部品を備えた基板を、基板ケースに収納したものである。そして、基板ユニット６０は、スロットマシンＭの遊技を制御するための遊技制御装置として機能する。
【００１７】
図１に示すように、上扉３０の下部には表示窓３１が設けられている。この表示窓３１は上側ほど後側に向かうように水平面に対して傾斜して設けられ、この表示窓３１の奥には、前記３個の回転リール２２ａが横一列に設けられている。各回転リール２２ａの外周面には複数種類の図柄が配列されており、回転リール２２ａが停止すると表示窓３１を通して１リール当たり３個の図柄が表示される。スロットマシンＭでは、横３本と斜め２本とからなる計５本の入賞有効ラインが設定されている。
そして、３個の回転リール２２ａが停止したときに入賞有効ライン上に停止した図柄の組み合わせによって当選役が入賞したか否かが表示される。
また、上扉３０の上部には、表示窓３１より大きい表示窓３２がほぼ鉛直に設けられている。この表示窓３２は上扉３０に設けられた表示ユニット２０（図２参照）の表示面を見るために設けられたものであり、この表示ユニット２０では、その表示面に遊技機における演出用の画像が表示されるようになっている。
また、上扉３０の表示窓３２の上部には、報知や演出などを行うための照明装置３４，３５，３４が左右に隣接して設けられ、表示窓３２と表示窓３１との間には報知や演出などを行うための横長の照明装置３６が設けられている。
さらに、表示窓３１の左右両側には報知や演出などを行うための照明装置３７が設けられている。
また、上扉３０の左右両側部には、報知や演出などを行うための照明装置３８が合計４個設けられている。なお、図１においては、右側の照明装置３７は右側下の照明装置３８と重なって図示されていないが、実際は右側にも左側と同様の照明装置３７が設けられている。
【００１８】
また、上扉３０は、図２に示すように、筐体１にヒンジ３９，３９を介して回動可能に連結されることで、筐体１の開口上部を開閉するようになっている。また、下扉４０は筐体１にヒンジ３９，３９を介して回動可能に連結されることで、筐体１の開口下部を開閉するようになっている。なお、前扉３を上扉３０と下扉４０に分けない一体の構造としてもよい。
【００１９】
また、上扉３０の下端部には、下扉４０の前面より後方側で下扉４０の上端より下側に突出する係合部が設けられ、下扉４０が閉じた状態で、上扉３０を開放することができない構造になっている。
【００２０】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リール２２ａの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２１】
また、下扉４０の下部には、スロットマシン内部よりメダルを排出するためのメダル払い出し口と、メダル払い出し口から排出されたメダルを溜めておくためのメダル受け皿４３とが設けられている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００２２】
次に、基板ユニット６０について説明する。スロットマシンＭには、上述の基板として、小役、ボーナス役等の役の当否の抽選や、リールユニット２２、ホッパーユニット５の制御を行う遊技制御基板（電子回路基板６１）を備える。この電子回路基板６１を備える基板ユニット６０は、筐体１の内側で背板（筐体部材）６２の内側面の上部に設けられている。なお、基板ユニット６０が設けられる筐体部材は、背板６２に限られるものではなく、スペース的に基板ユニット６０が配置可能ならば、筐体１の内側で、底板、左右の側板の一方、天板等であってもよい。
【００２３】
基板ユニット６０は、電子回路基板６１と、当該電子回路基板６１が封入された基板ケース６３と、筐体１の背板６２に回転自在に取り付けられた回動部材６４と、回動部材６４に設けられ、軸６５を有する回転係合部６６と、背板６２に設けられ、軸６５をその軸心周りに回転自在に支持する軸受６７を備える固定係合部６８とを有する。
【００２４】
筐体１は、その付属品等を除く本体が樹脂により一体成形されており、背板６２も筐体１の本体と一体に成形された樹脂からなっている。なお、筐体１内には、電源ユニット４、表示ユニット２０、リールユニット２２、ホッパーユニット５、基板ユニット６０等が遊技用部材として収容されている。
電子回路基板６１は、矩形板状であり、この電子回路基板６１は、表ケース６９および裏ケース７０を組み合わせてなる基板ケース６３に封入された状態となっている。基板ケース６３は、矩形上の電子回路基板６１に対応して上下左右幅に対して厚みが薄い箱状となっており、通常時は、図４に示すように筐体１の背板６２の内面に沿った状態で配置されている。この状態で、基板ケース６３の表ケース６９が筐体１の開口した前面側を向き、裏ケース７０が背板６２に対向する。また、表ケース６９と裏ケース７０とは、透明な樹脂製となっている。
【００２５】
表ケース６９および裏ケース７０は、それぞれ表ケース６９の背面および裏ケース７０の正面が開口した薄い箱状の部材で、これらの間に電子回路基板６１を配置した状態で互いに接合されている。これら表ケース６９と裏ケース７０との接合には、例えば、図示しないワンウェイねじや、かしめピンなどが用いられている。すなわち、基板ケース６３は、電子回路基板６１を封入しており、基板ケース６３から電子回路基板６１を取り出すために、裏ケース７０から表ケースを取り外す場合は、基本的に基板ケース６３を破壊する必要があり、電子回路基板６１を基板ケース６３から取り出した痕跡が残るようになっている。また、電子回路基板６１には、鍵で操作する設定変更用のスイッチがあり、このスイッチ部分には、表ケース６９に開閉可能に鍵ケース７２が設けられている。
【００２６】
回動部材６４は、筐体１の背板６２の内面に一端部が回転自在に取り付けられるとともに、基板ケース６３が取り付けられるものであり、基板ケース６３の裏ケース７０の背面を覆う略矩形板状に形成された透明樹脂からなっている。
【００２７】
回動部材６４の背板６２に回動自在に取り付けられる側の端部に軸６５を有する回転係合部６６が設けられている。回転係合部６６は、略矩形板状の回動部材６４の長手方向の一端部側に設けられ、一端部の左右側部からそれぞれ回動部材６４の長手方向に沿って延出する左右の軸支持部７５を備え、左右の軸支持部７５の間に軸６５が架け渡されるように設けられている。軸支持部７５は、その断面が回動部材６４の背面側に開口するコ字状に形成されている。なお、矩形板状の回動部材６４は、長手方向を水平に沿って配置され、それに対して軸６５は、垂直方向に配置される。
【００２８】
筐体１の背板６２には、筐体１の本体と一体に成形された固定係合部６８が設けられている。固定係合部６８は、筐体１の背板６２の内面から前側に四角箱状に突出した凸部７７を有する。この凸部７７は、遊技者側を向くとともに背板６２と平行な前面と、当該前面に対して略直角な４つの側面とから箱状となっている。４つの側面は、上を向く上側面と、下を向く下側面と、それぞれ左右側方のいずれかを向く左側面および右側面とからなる。これら４つの側面が四角枠状となっている。固定係合部６８では、凸部７７の四角枠状の側面が凸部７７の前面の位置より前側に突出した形状となっている。この凸部７７の前面より前側に突出する側面は、凸部７７の前面を囲む四角枠状の壁部７８により構成されている。
壁部７８には、水平方向に沿った上辺部７９と下辺部８０とを有し、これら上辺部７９と下辺部８０には、左右の中央部に、背板６２と直交する方向に凹む軸受凹部８１が設けられている。この軸受凹部８１の最深部は、凸部７７の背板６２内面と平行な前面より背板６２側となっており、凸部７７の前面には、上辺部７９と下辺部８０の軸受凹部８１同士の間をつなぐように軸受溝８２が設けられている。軸受凹部８１の最深部の位置と軸受溝８２の最深部の位置とが略一致しており、２つの軸受凹部８１と軸受溝８２とに渡って、軸６５が挿入可能となっている。２つの軸受凹部８１と軸受溝８２の底部となる部分は、軸６５の外径より僅かに大きな内径を有する略半円状となっている。
【００２９】
２つの軸受凹部８１と軸受溝８２とから軸６５を回転自在に支持する軸受６７が構成されている。また、２つの軸受凹部８１と軸受溝８２に軸６５を挿入した状態で矩形板状の覆部材８３を矩形枠状の壁部７８内で凸部７７の前面に当接するように配置している。これにより２つの軸受凹部８１と軸受溝８２とからなる軸受６７と軸６５が覆部材８３により覆われた状態となっており、この覆部材８３により、軸受から軸６５が外れることがないようになっている。
【００３０】
覆部材８３は、壁部７８より僅かに小さな矩形状に形成されるとともに、壁部７８の軸受凹部８１に対応する二箇所に外側に突出する突部８４が形成され、突部８４が軸受凹部８１に挿入された状態となっている。凸部７７の前面と、凸部７７前面に当接する覆部材８３の面とは、接着や溶着により接合されており、固定係合部６８または覆部材８３を破壊しないと固定係合部６８から覆部材８３を取り外せないようになっている。なお、固定係合部６８が破壊された場合も、覆部材８３が破壊された場合も固定係合部６８に痕跡が残るようになっている。なお、固定係合部６８と覆部材８３とをワンウェイねじや、かしめピンなどで取り外し時に痕跡が残るように取り付けるものとしてもよい。
【００３１】
このような基板ユニット６０によれば、筐体１の背板６２に対して、電子回路基板６１が封入された基板ケース６３を裏面側が背板６２に沿って視認できない状態と、背板６２から離れて視認できる状態、例えば、背板６２に対して９０度以上回転した状態とすることができる。なお、基板ケース６３の背面が視認できる角度であれば、９０度より小さな角度であってもよい。この際に基板ケース６３が透明なので、基板ケース６３内の電子回路基板６１の表裏面も視認可能となっている。但し、基板ケース６３の裏面には、基板ケース６３を回転自在に支持する回動部材６４が重なった状態で取り付けられているので、回動部材６４も透明となっており、基板ケース６３および電子回路基板６１を回動部材６４越しに視認可能となっている。
したがって、電子回路基板６１や、基板ケース６３における不正な変化を目視により確認可能である。また、上述のように、基板ケース６３からの電子回路基板６１の取り出し、回動部材６４からの基板ケース６３からの取り外し、固定係合部６８からの回転係合部６６を取り外すための固定係合部６８からの覆部材８３の取り外しにおいては、部材の部分的な破壊を必要として痕跡が残るので、上述のように基板ケース６３が回転自在であっても不正を防止できる。
【００３２】
そして、本実施の形態では、回動部材６４の回転係合部６６と相対的に回転自在に係合する固定係合部６８が樹脂製の筐体１の本体（筐体部材：背板６２）に一体成形されているので、固定係合部６８を筐体１と別部材として用意する必要がなく、筐体１に固定係合部６８を取り付ける必要がない。すなわち、筐体１を金型で成形する際に、筐体１に固定係合部６８が設けられてしまうので、コストの低減と組み立て作業の省力化を図ることができる。また、筐体１から固定係合部６８を取り外すには、筐体１の一部を破壊する必要があり、明らかな痕跡が残る。
【００３３】
なお、上述のように取り外した際に痕跡が残るような接合方法とは、基本的に接合した部材を取り外した際に、部材や部材の取り付け部分の一部が破壊され、破壊された痕跡が残るものが好ましい。また、固定係合部６８と回転係合部６６との接合において、例えば、環状の軸受に軸を通した状態で軸を回転係合部６６に固着するなどする構成として覆部材８３を用いない構成としてもよい。
【００３４】
また、固定係合部６８が一体に成形される筐体部材は、筐体１の本体全体に限られるものではなく、例えば、筐体１の本体を複数の成形品から組み立てるような場合に、筐体１の本体の一部を固定係合部６８と一体成形される筐体部材としてもよい。また、基板ケース６３（例えば、裏ケース７０）と、回動部材６４とが一体に成形されているものとしてもよい。言い換えれば、裏ケース７０が回動部材６４を兼ねていてもよい。
【００３５】
また、電子回路基板６１を小役、ボーナス役等の役の当否の抽選や、リールユニット２２、ホッパーユニット５の制御を行う遊技制御基板（主基板）としたが、電子回路基板６１は、表示や音声や照明による演出を制御する演出制御基板（サブ基板）であってもよく、遊技制御基板と演出制御基板の両方であってもよい。また、電子回路基板６１は、遊技機において、何らかの制御に用いられる制御基板ならばどのような制御基板であってもよい。
【符号の説明】
【００３６】
１    筐体
４    電源ユニット（遊技用部材）
５    ホッパーユニット（遊技用部材）
２０    表示ユニット（遊技用部材）
２２    リールユニット（遊技用部材）
６０    基板ユニット（遊技用部材）
６１    電子回路基板
６２    背板（筐体部材）
６３    基板ケース
６４    回動部材
６５    軸
６６    回転係合部
６７    軸受
６８    固定係合部
８１    軸受凹部（軸受）
８２    軸受溝（軸受）
８３    覆部材
【図１】
2018102367.tif 000003
【図２】
2018102367.tif 000004
【図３】
2018102367.tif 000005
【図４】
2018102367.tif 000006
【図５】
2018102367.tif 000007
【図６】
2018102367.tif 000008